(57)【要約】【課題】簡易な構成によって高輝度かつ高コントラストな画像を得るためのスクリーン、及びそのスクリーンを用いるプロジェクションシステムを提供すること。【解決手段】特定の振動方向の偏光光を入射させるスクリーン１２であって、特定の振動方向の偏光光を選択的に透過させる偏光選択透過部３２、及び特定の振動方向の偏光光を選択的に散乱させる偏光選択散乱部の少なくとも一方と、特定の振動方向の偏光光を角度変換して出射させる角度変換部であるフレネルレンズ３１と、を有する。【選択図】図４
2008203597.tif 000002
【特許請求の範囲】
【請求項１】
特定の振動方向の偏光光を入射させるスクリーンであって、
前記特定の振動方向の偏光光を選択的に透過させる偏光選択透過部、及び前記特定の振動方向の偏光光を選択的に散乱させる偏光選択散乱部の少なくとも一方と、
前記特定の振動方向の偏光光を角度変換して出射させる角度変換部と、を有することを特徴とするスクリーン。
【請求項２】
光を反射させる反射部を有し、
前記角度変換部は、前記反射部に対して前記特定の振動方向の偏光光の入射側に設けられ、
前記偏光選択透過部は、前記反射部及び前記角度変換部の間に設けられることを特徴とする請求項１に記載のスクリーン。
【請求項３】
前記角度変換部は、前記特定の振動方向の偏光光を入射させる第１面と、前記特定の振動方向の偏光光を射出させる第２面と、を備えることを特徴とする請求項２に記載のスクリーン。
【請求項４】
前記角度変換部は、前記特定の振動方向の偏光光を入射させる第１面と、前記第１面からの前記特定の振動方向の偏光光を前記偏光選択透過部の方向へ反射させる第２面と、を備えることを特徴とする請求項２又は３に記載のスクリーン。
【請求項５】
前記偏光選択散乱部は、前記偏光選択透過部及び前記角度変換部の間に設けられることを特徴とする請求項２〜４のいずれか一項に記載のスクリーン。
【請求項６】
光の反射を低減させる低反射部を有し、
前記角度変換部は、前記低反射部に対して前記特定の振動方向の偏光光の入射側に設けられ、
前記偏光選択散乱部は、前記低反射部及び前記角度変換部の間に設けられることを特徴とする請求項１に記載のスクリーン。
【請求項７】
前記低反射部は、光を吸収する光吸収部材を備えることを特徴とする請求項６に記載のスクリーン。
【請求項８】
前記偏光選択透過部は、前記角度変換部に対して前記特定の振動方向の偏光光の入射側に設けられ、
前記角度変換部は、前記偏光選択透過部を透過した前記特定の振動方向の偏光光を反射させることを特徴とする請求項１に記載のスクリーン。
【請求項９】
前記偏光選択散乱部は、前記偏光選択透過部に対して前記特定の振動方向の偏光光の入射側に設けられることを特徴とする請求項８に記載のスクリーン。
【請求項１０】
光を拡散させる光拡散部を有することを特徴とする請求項１〜９のいずれか一項に記載のスクリーン。
【請求項１１】
前記角度変換部は、略一定の方向に沿って形成された複数のプリズムを備えることを特徴とする請求項１〜１０のいずれか一項に記載のスクリーン。
【請求項１２】
画像信号に応じた特定の振動方向の偏光光を投写させるプロジェクタと、
請求項１〜１１のいずれか一項に記載のスクリーンと、を有することを特徴とするプロジェクションシステム。
【請求項１３】
前記プロジェクタは、前記スクリーンの法線以外の方向から前記スクリーンへ前記特定の振動方向の偏光光を入射させることを特徴とする請求項１２に記載のプロジェクションシステム。
【発明の詳細な説明】
【技術分野】
【０００１】
本発明は、スクリーン及びプロジェクションシステム、特に、スクリーンに近接した位置から光を投写させるプロジェクタと組み合わせて用いられるスクリーンの技術に関する。
【背景技術】
【０００２】
いわゆるフロント投写型のプロジェクタは、投写光を反射させる反射型のスクリーンと組み合わせて用いられる。フロント投写型のプロジェクタは、暗室環境下においては容易に高輝度かつ高コントラストな画像を得ることが可能である。これに対して、会議室や一般家庭等、明室環境化では高輝度、高コントラストを得ることは難しいことから、明室環境化においても高輝度かつ高コントラストな画像を得るための技術が提案されている。例えば、特許文献１には、投写光に対応する特定の波長の光を選択的に反射させ、不要な外光を吸収する技術が提案されている。
【０００３】
【特許文献１】特開２００６−７９０５１号公報
【発明の開示】
【発明が解決しようとする課題】
【０００４】
スクリーンには、ある程度の入射角度範囲の投写光が入射することになる。これに対して、投写光の入射角度に関わらず一定の波長選択性を持たせることは非常に困難であって、コスト面においても大きな課題を有することとなる。このように、従来の技術によると、簡易な構成によって高輝度かつ高コントラストな画像を得ることが困難であるという問題を生じる。本発明は、上述の問題に鑑みてなされたものであり、簡易な構成によって高輝度かつ高コントラストな画像を得るためのスクリーン、及びそのスクリーンを用いるプロジェクションシステムを提供することを目的とする。
【課題を解決するための手段】
【０００５】
上述した課題を解決し、目的を達成するために、本発明によれば、特定の振動方向の偏光光を入射させるスクリーンであって、特定の振動方向の偏光光を選択的に透過させる偏光選択透過部、及び特定の振動方向の偏光光を選択的に散乱させる偏光選択散乱部の少なくとも一方と、特定の振動方向の偏光光を角度変換して出射させる角度変換部と、を有することを特徴とするスクリーンを提供することができる。
【０００６】
本発明のスクリーンは、特定の振動方向の偏光光を投写させるプロジェクタと組み合わせて用いる。偏光選択透過部、偏光選択散乱部は、特定の振動方向の偏光光である投写光を選択的に透過又は散乱させる。角度変換部を用いた角度変換により、観察者の方向へ効率的に投写光を進行させ、輝度を向上させることができる。また、外光に対する投写光の指向性を高められるため、明室環境下におけるコントラストも向上させることができる。さらに、偏光選択透過部又は偏光選択散乱部と角度変換部を組み合わせれば良いことから、簡易な構成とすることができる。これにより、簡易な構成によって高輝度かつ高コントラストな画像を得るためのスクリーンを得られる。
【０００７】
また、本発明の好ましい態様としては、光を反射させる反射部を有し、角度変換部は、反射部に対して特定の振動方向の偏光光の入射側に設けられ、偏光選択透過部は、反射部及び角度変換部の間に設けられることが望ましい。これにより、投写光を選択的に観察者の方向へ進行させ、かつ観察者の方向へ進行する外光を低減させることができる。
【０００８】
また、本発明の好ましい態様としては、角度変換部は、特定の振動方向の偏光光を入射させる第１面と、特定の振動方向の偏光光を射出させる第２面と、を備えることが望ましい。これにより、第１面へ入射した投写光を反射部の方向へ進行させ、かつ反射部から第２面へ入射した投写光を観察者の方向へ進行させる構成にできる。
【０００９】
また、本発明の好ましい態様としては、角度変換部は、特定の振動方向の偏光光を入射させる第１面と、第１面からの特定の振動方向の偏光光を偏光選択透過部の方向へ反射させる第２面と、を備えることが望ましい。これにより、大きな入射角度で入射する投写光を観察者の方向へ進行させることができる。
【００１０】
また、本発明の好ましい態様としては、偏光選択散乱部は、偏光選択透過部及び角度変換部の間に設けられることが望ましい。これにより、投写光を選択的に散乱させて良好な視野角特性を得ることができる。また、偏光選択散乱部にて散乱し観察者側とは逆方向へ進行した投写光を観察者の方向へ戻すことを可能とし、さらに輝度を向上させることができる。
【００１１】
また、本発明の好ましい態様としては、光の反射を低減させる低反射部を有し、角度変換部は、低反射部に対して特定の振動方向の偏光光の入射側に設けられ、偏光選択散乱部は、低反射部及び角度変換部の間に設けられることが望ましい。これにより、投写光を選択的に散乱させて良好な視野角特性を得るとともに、観察者の方向へ進行する外光を低減させることができる。
【００１２】
また、本発明の好ましい態様としては、低反射部は、光を吸収する光吸収部材を備えることが望ましい。これにより、低反射部における反射を低減させることができる。
【００１３】
また、本発明の好ましい態様としては、偏光選択透過部は、角度変換部に対して特定の振動方向の偏光光の入射側に設けられ、角度変換部は、偏光選択透過部を透過した特定の振動方向の偏光光を反射させることが望ましい。これにより、投写光を選択的に観察者の方向へ進行させ、かつ観察者の方向へ進行する外光を低減させることができる。
【００１４】
また、本発明の好ましい態様としては、偏光選択散乱部は、偏光選択透過部に対して特定の振動方向の偏光光の入射側に設けられることが望ましい。これにより、投写光を選択的に散乱させて良好な視野角特性を得ることができる。また、偏光選択散乱部から反射部の方向へ散乱した投写光を観察者の方向へ進行させ、輝度を向上させることができる。
【００１５】
また、本発明の好ましい態様としては、光を拡散させる光拡散部を有することが望ましい。これにより、良好な視野角特性を得ることができる。また、角度変換部の入射面に光拡散部を設けることで、角度変換部における鏡面反射を低減させることが可能となる。
【００１６】
また、本発明の好ましい態様としては、角度変換部は、略一定の方向に沿って形成された複数のプリズムを備えることが望ましい。光軸から大きくシフトさせてスクリーンを配置する場合、一定の方向に沿って形成されたプリズムは、光軸を中心とする同心円状に形成されたものと同視できる。よって、観察者の方向へ光を正確に角度変換できる。また、一定の方向に沿うプリズムは、容易に形成できる。これにより、光軸から大きく投写光をシフトさせる場合に、容易に形成可能な構成により高輝度かつ輝度ムラが低減された画像を表示することが可能となる。
【００１７】
さらに、本発明によれば、画像信号に応じた特定の振動方向の偏光光を投写させるプロジェクタと、上記のスクリーンと、を有することを特徴とするプロジェクションシステムを提供することができる。上記のスクリーンを用いることで、簡易な構成によって高輝度かつ高コントラストな画像を得ることができる。これにより、簡易な構成によって高輝度かつ高コントラストな画像を表示することが可能なプロジェクションシステムを得られる。
【００１８】
また、本発明の好ましい態様としては、プロジェクタは、スクリーンの法線以外の方向からスクリーンへ特定の振動方向の偏光光を入射させることが望ましい。これにより、スクリーンに近い位置にプロジェクタを配置することができる。また、スクリーンに対して斜めに入射する投写光を効率良く観察者の方向へ進行させることができる。
【発明を実施するための最良の形態】
【００１９】
以下に図面を参照して、本発明の実施例を詳細に説明する。
【実施例１】
【００２０】
図１は、本発明の実施例１に係るプロジェクションシステム１０の概略構成を示す。プロジェクションシステム１０は、プロジェクタ１１及びスクリーン１２を有する。プロジェクタ１１は、画像信号に応じた光を投写させるフロント投写型のプロジェクタである。プロジェクタ１１は、スクリーン１２が配置された壁面Ｗから１ｍ以内、例えば３０ｃｍ程度の位置から近接投写を行う。スクリーン１２は、プロジェクタ１１からの光を反射させる反射型のスクリーンである。プロジェクタ１１は、光学エンジン１３、投写レンズ１４、非球面ミラー１５を有する。
【００２１】
図２は、光学エンジン部１３の概略構成を示す。光源部である超高圧水銀ランプ２１は、赤色（Ｒ）光、緑色（Ｇ）光、及び青色（Ｂ）光を含む光を供給する。インテグレータ２２は、超高圧水銀ランプ２１からの光の照度分布を略均一にする。照度分布が均一化された光は、偏光変換素子２３にて例えばｐ偏光光に変換される。
【００２２】
ｐ偏光光に変換された光は、反射ミラー２４で光路を９０度折り曲げられた後、第１ダイクロイックミラー２５に入射する。第１ダイクロイックミラー２５は、Ｒ光を透過させ、Ｇ光、Ｂ光を反射する。第１ダイクロイックミラー２５を透過したＲ光は、反射ミラー２８で光路を９０度折り曲げられ、Ｒ光用空間光変調装置２９Ｒへ入射する。Ｒ光用空間光変調装置２９Ｒは、Ｒ光を画像信号に応じて変調する空間光変調装置であって、透過型液晶表示装置である。Ｒ光用空間光変調装置２９Ｒは、画像信号に応じた変調により、例えばｐ偏光光をｓ偏光光に変換する。Ｒ光用空間光変調装置２９Ｒで変調されたＲ光は、色合成光学系であるクロスダイクロイックプリズム３０へ入射する。透過型液晶表示装置としては、例えば高温ポリシリコンＴＦＴ液晶パネル（High  Temperature  Polysilicon；ＨＴＰＳ）を用いることができる。
【００２３】
第１ダイクロイックミラー２５で反射されたＧ光及びＢ光は、光路を９０度折り曲げられた後、第２ダイクロイックミラー２６に入射する。第２ダイクロイックミラー２６は、Ｇ光を反射し、Ｂ光を透過させる。第２ダイクロイックミラー２６で反射されたＧ光は、Ｇ光用空間光変調装置２９Ｇへ入射する。Ｇ光用空間光変調装置２９Ｇは、Ｇ光を画像信号に応じて変調する空間光変調装置であって、透過型液晶表示装置である。Ｇ光用空間光変調装置２９Ｇは、画像信号に応じた変調により、例えばｐ偏光光をｓ偏光光に変換する。Ｇ光用空間光変調装置２９Ｇで変調されたＧ光は、Ｒ光とは異なる側からクロスダイクロイックプリズム３０へ入射する。
【００２４】
第２ダイクロイックミラー２６を透過したＢ光は、２枚のリレーレンズ２７と、２枚の反射ミラー２８とを経由して、Ｂ光用空間光変調装置２９Ｂへ入射する。Ｂ光の光路は、Ｒ光の光路及びＧ光の光路よりも長い。空間光変調装置における照明倍率をＲ光及びＧ光と等しくするために、Ｂ光の光路には、リレーレンズ２７を用いるリレー光学系が採用されている。Ｂ光用空間光変調装置２９Ｂは、Ｂ光を画像信号に応じて変調する空間光変調装置であって、透過型液晶表示装置である。Ｂ光用空間光変調装置２９Ｂは、画像信号に応じた変調により、例えばｐ偏光光をｓ偏光光に変換する。Ｂ光用空間光変調装置２９Ｂで変調されたＢ光は、Ｒ光、Ｇ光とは異なる側からクロスダイクロイックプリズム３０へ入射する。
【００２５】
クロスダイクロイックプリズム３０は、互いに略直交するように配置された２つのダイクロイック膜３０ａ、３０ｂを有する。第１ダイクロイック膜３０ａは、Ｂ光を反射させ、Ｒ光及びＧ光を透過させる。第２ダイクロイック膜３０ｂは、Ｒ光を反射させ、Ｇ光及びＢ光を透過させる。クロスダイクロイックプリズム３０は、それぞれ異なる側から入射したＲ光、Ｇ光及びＢ光を出射させる。投写レンズ１４は、クロスダイクロイックプリズム３０で合成された特定の振動方向の偏光光であるｓ偏光光を投写させる。
【００２６】
図１に戻って、非球面ミラー１５は、投写レンズ１４に対向する位置に設けられている。非球面ミラー１５は、非球面形状の曲面を有する。非球面ミラー１５は、反射により、投写レンズ１４からの光を、主に水平方向について広角化させる。また、非球面ミラー１５は、投写レンズ１４からの光を折り曲げて出射部１６の方向へ進行させる。非球面ミラー１５は、例えば、樹脂部材等を有する基材上に反射膜を形成することにより構成できる。反射膜としては、高反射性の部材の層、例えばアルミニウム等の金属部材の層や誘電体多層膜等を用いることができる。また、反射膜の上には、透明部材を有する保護膜を形成することとしても良い。非球面ミラー１５は、曲面形状とすることで、光の折り曲げと広角化とを同時に行うことが可能となる。投写レンズ１４のみならず非球面ミラー１５にて光を広角化することで、投写レンズ１４のみにより光を広角化させる場合より投写レンズ１４を小型にすることができる。非球面ミラー１５は、画像の歪みを補正できるように形状を適宜変更しても良い。
【００２７】
非球面ミラー１５は、一部を筐体１７外部にはみ出させて配置されている。非球面ミラー１５からの光を筐体１７外部へ出射させる出射部１６は、筐体１７に形成された開口部と非球面ミラー１５とによって囲まれた部分である。なお、プロジェクタ１１は、光学エンジン１３から非球面ミラー１５までの各部を完全に筐体１７内に収納することとしても良い。また、投写レンズ１４と非球面ミラー１５との間に、光路を折り曲げるためのミラーを設けることとしても良い。プロジェクタ１１は、例えば床面、机、サイドボード等に設置することができる。プロジェクタ１１は、コンパクトな構成であるため、容易に設置場所を確保することができる。
【００２８】
図３は、プロジェクタ１１の光学系を模式的に表したものである。投写レンズ１４は、光軸ＡＸを有する。非球面ミラー１５は、中心軸に関して略回転対称な形状、例えば、円錐形状のうち頂点部以外の一部を切り取った形状とすることができる。ここで、非球面ミラー１５の中心軸は投写レンズ１４の光軸ＡＸと略一致している。本実施例では、非球面ミラー１５の中心軸を非球面ミラー１５の光軸とする。従って、投写レンズ１４及び非球面ミラー１５は、光軸が略一致するように配置されている。スクリーン１２の法線Ｎは、投写レンズ１４の光軸及び非球面ミラー１５の光軸と略平行である。投写レンズ１４及び非球面ミラー１５は、いずれも共通の光軸ＡＸを持つ、いわゆる共軸光学系を構成している。また、投写レンズ１４及び非球面ミラー１５は、画像信号に応じて変調された光を光軸ＡＸに対して特定の側へシフトさせて進行させる、いわゆるシフト光学系を構成している。
【００２９】
具体的には、画像信号に応じて変調された光を光軸ＡＸに対して特定の側、つまり図３における紙面上側へシフトさせて進行させている。一方、光学エンジン１３中のクロスダイクロイックプリズム３０の出射面に仮想的に形成される像面の中心法線は、光軸ＡＸに対して平行であり、かつ特定の側とは反対側、即ち光軸ＡＸに対して図３における紙面下側にシフトしている。かかる構成により、プロジェクタ１１は、スクリーン１２に対して大きな入射角をなす光を入射させる。入射角は、スクリーン１２の法線Ｎと入射光線とがなす角度である。プロジェクタ１１からの投写光は、スクリーン１２の法線Ｎの方向以外の方向から入射させる光であって、特定の振動方向の偏光光であるｓ偏光光である。
【００３０】
共軸光学系を採用することにより、通常の共軸系の設計手法を採用することが可能である。よって、光学系の設計工数を少なくし、かつ収差が少ない光学系を実現することができる。また、非球面ミラー１５を光軸ＡＸに関して略回転対称な形状とすることで、非球面ミラー１５の光軸と他の構成の光軸とを容易に一致させることが可能となる。非球面ミラー１５は軸対称の非球面形状となることから、旋盤等の簡易な手法により加工を行うことができる。よって、非球面ミラー１５を容易かつ高い精度で製造することができる。
【００３１】
プロジェクションシステム１０は、投写レンズ１４及び非球面ミラー１５を用いることで、画角θを少なくとも１５０度以上、例えば１６０度とする超広角光学系を採用している。さらに、超広角化させたうちの一部の角度範囲のみを使用するシフト光学系とすることで、光の進行方向を揃えることが可能である。本実施例の場合、例えば、スクリーン１２における最小入射角度は７０度、最大入射角度は８０度となる。シフト光学系を採用することにより、スクリーン１２へ入射する光の角度差を１０度程度以内とすることが可能となる。
【００３２】
図４は、スクリーン１２の要部断面構成を示す。フレネルレンズ３１は、スクリーン１２のうちプロジェクタ１１からの投写光Ｌ１を入射させる入射面に設けられている。フレネルレンズ３１は、特定の振動方向の偏光光であるｓ偏光光を角度変換して出射させる角度変換部である。フレネルレンズ３１は、複数のプリズム３４を並列させて構成されている。プリズム３４は、三角形状の断面をなし、投写光Ｌ１が入射する側の第１面３５、及び第１面３５に隣接する第２面３６を有する。
【００３３】
偏光選択透過部３２は、フレネルレンズ３１に対して投写光Ｌ１が入射する側とは反対側に設けられている。偏光選択透過部３２は、特定の振動方向の偏光光であるｓ偏光光を選択的に透過させる。偏光選択透過部３２としては、例えば、ポリビニルアルコール（ＰＶＡ）偏光フィルムを用いることができる。反射部３３は、偏光選択透過部３２に対してフレネルレンズ３１が設けられた側とは反対側に設けられている。反射部３３は、偏光選択透過部３２からの光を反射させる。反射部３３としては、高反射性部材、例えば金属部材により構成された金属膜を用いることができる。フレネルレンズ３１は、反射部３３に対して投写光Ｌ１の入射側に設けられている。偏光選択透過部３２は、反射部３３及びフレネルレンズ３１の間に設けられている。フレネルレンズ３１と偏光選択透過部３２とは、互いに密着している。また、偏光選択透過部３２と反射部３３とは、互いに密着している。
【００３４】
フレネルレンズ３１は、第１面３５から投写光Ｌ１を入射させる。第１面３５からフレネルレンズ３１へ入射した投写光Ｌ１は、偏光選択透過部３２へ入射する。ｓ偏光光である投写光Ｌ１は、偏光選択透過部３２を透過し、反射部３３へ入射する。反射部３３へ入射した投写光Ｌ１は、反射部３３で反射した後、偏光選択透過部３２へ入射する。そして、投写光Ｌ１は、偏光選択透過部３２及びフレネルレンズ３１を透過する。フレネルレンズ３１は、第２面３６から投写光Ｌ１を射出させる。フレネルレンズ３１は、第１面３５及び第２面３６での屈折作用により、投写光Ｌ１を角度変換させる。フレネルレンズ３１での角度変換により、第１面３５へ入射した投写光Ｌ１を反射部３３の方向へ進行させ、かつ反射部３３から第２面３６へ入射した投写光Ｌ１を観察者の方向へ進行させる。観察者の方向は、例えば法線Ｎの方向である。
【００３５】
明室環境下における外光Ｌ２は、スクリーン１２に対して、投写光Ｌ１とは反対の上側からスクリーン１２へ入射する。外光Ｌ２は、フレネルレンズ３１の第２面３６へ入射する。ランダムな偏光成分を持つ外光Ｌ２のうちｐ偏光成分は、偏光選択透過部３２で吸収される。これにより、外光Ｌ２のうち約半分がカットされる。外光Ｌ２のうちｓ偏光成分は、偏光選択透過部３２を透過した後、反射部３３で反射する。反射部３３で反射した外光Ｌ２は、偏光選択透過部３２及びフレネルレンズ３１を透過した後、観察者の方向以外の方向である下側へ出射する。以上により、投写光Ｌ１を選択的に観察者の方向へ進行させ、かつ観察者の方向へ進行する外光Ｌ２を低減させることができる。
【００３６】
図５は、フレネルレンズ３１の平面構成を示す。プリズム３４は、光軸ＡＸを中心とする同心円状に配置されている。同心円状にプリズム３４を配置することにより、観察者の方向へ光を正確に角度変換することが可能となる。ここではフレネルレンズ３１上に光軸ＡＸが存在する場合を示しているが、光軸ＡＸがフレネルレンズ３１上以外の位置にある場合も、光軸ＡＸを中心とする同心円状にプリズム３４を配置する構成にできる。
【００３７】
光軸ＡＸから大きくシフトさせてスクリーン１２を配置する構成の場合、図６に示すように、フレネルレンズ３１は、一定の方向である水平方向に沿って形成された複数のプリズム３４を備える構成としても良い。光軸ＡＸから大きくシフトさせてスクリーン１２を配置する場合、水平方向に沿って形成されたプリズム３４は、光軸ＡＸを中心とする同心円状に形成されたものと同視できる。よって、水平方向に沿って形成されたプリズム３４を用いることで、観察者の方向へ投写光Ｌ１を正確に角度変換できる。また、一定の方向に沿うプリズム３４は、容易に形成できる。これにより、光軸ＡＸから大きく投写光Ｌ１をシフトさせる場合に、容易に形成可能な構成により高輝度かつ輝度ムラが低減された画像を表示することが可能となる。なお、フレネルレンズ３１は、プリズム３４を等ピッチに並列させる構成に限られない。プリズム３４の配置は、投写光Ｌ１の入射角度に応じて適宜変更しても良い。
【００３８】
角度変換部であるフレネルレンズ３１を用いた角度変換により、観察者の方向へ効率的に投写光Ｌ１を進行させ、輝度を向上させることができる。また、外光Ｌ２に対する投写光Ｌ１の指向性を高められるため、明室環境下におけるコントラストも向上させることができる。さらに、フレネルレンズ３１、偏光選択透過部３２、反射部３３を組み合わせれば良いことから、簡易な構成とすることができる。これにより、簡易な構成によって高輝度かつ高コントラストな画像を得ることができるという効果を奏する。角度変換部は、フレネルレンズ３１を用いる場合に限られない。投写光Ｌ１を角度変換可能であれば良く、例えば、複数のプリズム層を積層させた構成であっても良い。本実施例のスクリーン１２は、反射部３３を取り除いた構成とすることで、投写光Ｌ１を透過させる透過型スクリーンに応用しても良い。
【００３９】
図７は、本実施例の変形例１に係るスクリーン４０の要部断面構成を示す。スクリーン４０は、光を拡散させる第１面４３、及び第２面４４を備えることを特徴とする。第１面４３及び第２面４４は、光を拡散させる光拡散部である。第１面４３及び第２面４４は、微小な凹凸が施されている。フレネルレンズ４１は、プリズム４２の第１面４３、第２面４４の部分以外については、上記のフレネルレンズ３１（図４参照）と同様の構成を有する。投写光Ｌ１は、第１面４３及び第２面４４を通過することにより、観察者側にて拡散する。これにより、良好な視野角特性を得ることができる。
【００４０】
また、投写光Ｌ１の入射側にフレネルレンズ４１を設ける構成において投写光Ｌ１の入射側に光拡散部を設けることで、投写光Ｌ１の鏡面反射を低減させることができる。光拡散部としては、微小な凹凸が施された第１面４３及び第２面４４を用いる他、例えば、光を拡散させる拡散材が分散された層を用いても良い。光拡散部は、フレネルレンズ４１の入射側に設ける他、フレネルレンズ４１及び偏光選択透過部３２の間や、偏光選択透過部３２及び反射部３３の間に設けても良い。さらに、反射部３３に微小な凹凸を施すことで光拡散部として機能させても良い。
【００４１】
図８は、本実施例の変形例２に係るスクリーン５０の要部断面構成を示す。本変形例では、第１面３５から入射した投写光Ｌ１は、第２面３６で全反射した後、偏光選択透過部３２へ入射する。フレネルレンズ３１は、反射部３３で反射した後の投写光Ｌ１を第２面３６から射出させる。この場合、大きな入射角度で入射する投写光Ｌ１を観察者の方向へ進行させることができる。
【実施例２】
【００４２】
図９は、本発明の実施例２に係るスクリーン６０の要部断面構成を示す。本実施例のスクリーン６０は、偏光選択散乱部６１を有することを特徴とする。上記実施例１と同一の部分には同一の符号を付し、重複する説明を省略する。偏光選択散乱部６１は、フレネルレンズ３１に対して投写光Ｌ１が入射する側とは反対側に設けられている。偏光選択散乱部６１は、特定の振動方向の偏光光であるｓ偏光光を選択的に散乱させる。偏光選択散乱部６１としては、例えば、特定方向に分子を並列させた高分子フィルムを用いることができる。
【００４３】
光吸収層６２は、偏光選択散乱部６１に対してフレネルレンズ３１が設けられた側とは反対側に設けられている。光吸収層６２は、偏光選択散乱部６１からの光を吸収することで、偏光選択散乱部６１からの光の反射を低減させる低反射部である。光吸収層６２は、光吸収部材、例えば、光吸収性樹脂を用いて構成されている。フレネルレンズ３１は、光吸収層６２に対して投写光Ｌ１の入射側に設けられている。偏光選択散乱部６１は、光吸収層６２及びフレネルレンズ３１の間に設けられている。フレネルレンズ３１と偏光選択散乱部６１とは、互いに密着している。偏光選択散乱部６１と光吸収層６２とは、互いに密着している。
【００４４】
第１面３５からフレネルレンズ３１へ入射した投写光Ｌ１は、偏光選択散乱部６１へ入射する。ｓ偏光光である投写光Ｌ１は、偏光選択散乱部６１で散乱する。偏光選択散乱部６１で散乱しフレネルレンズ３１の方向へ進行した投写光Ｌ１は、フレネルレンズ３１の第２面３６から出射する。外光Ｌ２は、フレネルレンズ３１の第２面３６へ入射する。ランダムな偏光成分を持つ外光Ｌ２のうちｐ偏光成分は、偏光選択散乱部６１を透過し、光吸収層６２で吸収される。これにより、外光Ｌ２の約半分がカットされる。
【００４５】
外光Ｌ２のうちｓ偏光成分は、偏光選択散乱部６１で散乱する。偏光選択散乱部６１で散乱し光吸収層６２の方向へ進行した外光Ｌ２は、光吸収層６２で吸収される。偏光選択散乱部６１で散乱しフレネルレンズ３１の方向へ進行した外光Ｌ２は、観察者の方向以外の方向へ出射する。以上により、投写光Ｌ１を選択的に散乱させて良好な視野角特性を得るとともに、観察者の方向へ進行する外光Ｌ２を低減させることができる。これにより、上記実施例１の場合と同様に、簡易な構成によって高輝度かつ高コントラストな画像を得ることができる。本実施例のスクリーン６０は、光吸収層６２を取り除いた構成とすることで、投写光Ｌ１を透過させる透過型スクリーンに応用しても良い。
【００４６】
図１０は、本実施例の変形例に係るスクリーン７０の要部断面構成を示す。本変形例は、偏光選択透過部３２を有することを特徴とする。また、本変形例のスクリーン７０は、光吸収層６２に代えて反射部３３が設けられている。偏光選択散乱部６１は、偏光選択透過部３２及びフレネルレンズ３１の間に設けられている。偏光選択散乱部６１と偏光選択透過部３２は、互いに密着している。偏光選択透過部３２と反射部３３とは、互いに密着している。
【００４７】
偏光選択散乱部６１で散乱し偏光選択透過部３２の方向へ進行した投写光Ｌ１は、偏光選択透過部３２を透過し、反射部３３へ入射する。反射部３３で反射した投写光Ｌ１は、偏光選択透過部３２を透過した後、偏光選択散乱部６１で散乱する。このようにして、偏光選択散乱部６１にて散乱し観察者側とは逆方向へ進行した投写光Ｌ１を観察者の方向へ戻すことが可能となる。これにより、さらに輝度を向上させることができる。本実施例のスクリーン６０、７０は、上記実施例１の場合と同様に、表面或いは中間に光拡散部を設けても良い。
【実施例３】
【００４８】
図１１は、本発明の実施例３に係るスクリーン８０の要部断面構成を示す。本実施例のスクリーン８０は、観察者側とは反対側に設けられたフレネルレンズ８１を有することを特徴とする。上記実施例１、２と同一の部分には同一の符号を付し、重複する説明を省略する。偏光選択透過部３２は、フレネルレンズ８１に対して投写光Ｌ１の入射側に設けられている。偏光選択透過部３２とフレネルレンズ８１とは、互いに密着している。フレネルレンズ８１の第１面３５及び第２面３６には、反射膜８２が設けられている。反射膜８２は、高反射性部材、例えば、金属部材をコーティングすることにより構成できる。フレネルレンズ８１は、偏光選択透過部３２を透過した光を、反射膜８２において反射させる。フレネルレンズ８１は、反射膜８２での反射作用により、投写光Ｌ１を角度変換させる。
【００４９】
ｓ偏光光である投写光Ｌ１は、偏光選択透過部３２を透過した後、フレネルレンズ８１へ入射する。フレネルレンズ８１を透過した投写光Ｌ１は、反射膜８２で反射する。反射膜８２で反射した投写光Ｌ１は、フレネルレンズ８１及び偏光選択透過部３２を透過した後、観察者の方向へ進行する。ランダムな偏光成分を持つ外光Ｌ２のうちｐ偏光成分は、偏光選択透過部３２で吸収される。これにより、外光のうち約半分がカットされる。
【００５０】
外光Ｌ２のうちｓ偏光成分は、偏光選択透過部３２を透過した後、フレネルレンズ８１へ入射する。フレネルレンズ８１を透過した外光Ｌ２は、反射膜８２で反射する。反射膜８２で反射した外光Ｌ２は、フレネルレンズ８１及び偏光選択透過部３２を透過した後、観察者の方向以外の方向である上側へ出射する。以上により、投写光Ｌ１を選択的に観察者の方向へ進行させ、かつ観察者の方向へ進行する外光Ｌ２を低減させることができる。これにより、上記実施例１の場合と同様に、簡易な構成によって高輝度かつ高コントラストな画像を得ることができる。本実施例では、投写光Ｌ１の入射側とは反対側にフレネルレンズ８１を設ける構成とすることで、フレネルレンズ８１での投写光Ｌ１の鏡面反射を防止することも可能である。
【００５１】
図１２は、本実施例の変形例に係るスクリーン９０の要部断面構成を示す。本変形例は、偏光選択散乱部６１を有することを特徴とする。偏光選択散乱部６１は、偏光選択透過部３２に対して投写光Ｌ１の入射側に設けられている。偏光選択散乱部６１と偏光選択透過部３２とは、互いに密着している。ｓ偏光光である投写光Ｌ１は、偏光選択散乱部６１で散乱する。偏光選択散乱部６１で散乱し観察者の方向へ進行した投写光Ｌ１は、観察者側にて散乱する。投写光Ｌ１を選択的に散乱させることで、良好な視野角特性を得ることができる。
【００５２】
偏光選択散乱部６１で散乱し偏光選択透過部３２の方向へ進行した投写光Ｌ１は、偏光選択透過部３２及びフレネルレンズ８１を透過し、反射膜８２へ入射する。反射膜８２へ入射した投写光Ｌ１は、フレネルレンズ８１及び偏光選択透過部３２を透過した後、偏光選択散乱部６１で散乱する。このようにして、偏光選択散乱部６１にて散乱し観察者側とは逆方向へ進行した投写光Ｌ１を観察者の方向へ戻すことが可能となる。これにより、さらに輝度を向上させることができる。本実施例のスクリーン８０、９０は、上記実施例１の場合と同様に、表面或いは中間に光拡散部を設けても良い。
【００５３】
なお、上記各実施例のスクリーンは、均一な傾きで形成された第１面及び第２面を備えるフレネルレンズを用いる場合に限られない。例えば、図１３に示すスクリーン１００のように、投写光Ｌ１の入射角度に応じて第１面３５、第２面３６の傾きを変化させたフレネルレンズ１０１を用いても良い。これにより、さらに高輝度かつ輝度ムラが低減された画像を得ることができる。
【実施例４】
【００５４】
図１４は、本発明の実施例４に係るプロジェクションシステム１１０の概略構成を示す。本実施例のプロジェクションシステム１１０は、実施例１のプロジェクションシステム１０の上下を反転させた構成を有する。本実施例のプロジェクションシステム１１０は、スクリーン１１１の鉛直上側から光を投写させる。プロジェクタ１１は、例えば天井面に吊り下げて設置することができる。プロジェクタ１１は、実施例１の場合と上下を反転させて設置される。
【００５５】
スクリーン１１１は、実施例１のスクリーン１２の上下を反転させた構成を有する。本実施例の場合も、簡易な構成によって高輝度かつ高コントラストな画像を得ることができる。なお、プロジェクションシステムは、実施例１のプロジェクションシステム１０の上下を反転させた構成とする他、９０度回転させた構成としても良い。上記各実施例のスクリーンは、特定のプロジェクタ１１との組み合わせによりプロジェクションシステムを構成するものに限られない。上記各実施例のスクリーンは、任意のプロジェクタと組み合わせて用いるものであっても良い。
【００５６】
上記各実施例のスクリーンは、投写光Ｌ１としてｓ偏光光を入射させるものである他、ｐ偏光光を入射させるものであっても良い。この場合、スクリーンは、特定の振動方向の偏光光であるｐ偏光光を選択的に透過させる偏光選択透過部、及びｐ偏光光を選択的に散乱させる偏光選択散乱部の少なくとも一方を有する構成にできる。上記各実施例のスクリーンは、近接投写を行うプロジェクタ１１と組み合わせて用いるものに限られない。少なくとも、法線Ｎ（図３参照）以外の方向からスクリーンへ斜めに投写光Ｌ１を入射させる構成であれば良い。プロジェクタ１１は、少なくとも法線Ｎ（図３参照）以外の方向からスクリーンへ斜めに投写光Ｌ１を入射させる構成であればよく、上述の構成に限られない。例えば、プロジェクタ１１は、非球面ミラー１５（図１参照）に代えて複数の反射ミラーを用いることによりスクリーン１２に対して大きな入射角をなす投写光を入射させても良い。
【００５７】
プロジェクタ１１は、投写光として特定の振動方向の偏光光を投写させることが可能であれば良く、上述の構成に限られない。例えば、空間光変調装置としては、透過型液晶表示装置に代えて、反射型液晶表示装置（Liquid  Crystal  On  Silicon；ＬＣＯＳ）を用いても良い。プロジェクタ１１は、色光ごとに空間光変調装置を備える構成に限られない。プロジェクタ１１は、一の空間光変調装置により２つ又は３つ以上の色光を変調する構成としても良い。
【００５８】
光源部としては、例えば、ＬＥＤ以外の他の固体光源や、超高圧水銀ランプ等のランプを用いても良い。例えば、光源部として、特定の振動方向の偏光光を供給可能なレーザ光源を用いる場合、空間光変調装置としては、液晶表示装置の他、ＤＭＤ（Digital  Micromirror  Device）、ＧＬＶ（Grating  Light  Valve）等を用いても良い。さらに、レーザ光源を用いる場合、画像信号に応じて変調されたレーザ光を走査させることにより画像を表示する構成であっても良い。
【産業上の利用可能性】
【００５９】
以上のように、本発明に係るスクリーンは、スクリーンに近接した位置から光を投写させるプロジェクタと組み合わせる場合に適している。
【図面の簡単な説明】
【００６０】
【図１】本発明の実施例１に係るプロジェクションシステムの概略構成を示す図。
【図２】光学エンジンの概略構成を示す図。
【図３】プロジェクタの光学系を模式的に表した図。
【図４】スクリーンの要部断面構成を示す図。
【図５】フレネルレンズの平面構成を示す図。
【図６】水平方向に沿って形成されたプリズムを備える構成を示す図。
【図７】実施例１の変形例１に係るスクリーンの要部断面構成を示す図。
【図８】実施例１の変形例２に係るスクリーンの要部断面構成を示す図。
【図９】本発明の実施例２に係るスクリーンの要部断面構成を示す図。
【図１０】実施例２の変形例に係るスクリーンの要部断面構成を示す図。
【図１１】本発明の実施例３に係るスクリーンの要部断面構成を示す図。
【図１２】実施例３の変形例に係るスクリーンの要部断面構成を示す図。
【図１３】第１面、第２面の傾きを変化させた構成を説明する図。
【図１４】本発明の実施例４に係るプロジェクションシステムの概略構成を示す図。
【符号の説明】
【００６１】
１０  プロジェクションシステム、１１  プロジェクタ、１２  スクリーン、１３  光学エンジン、１４  投写レンズ、１５  非球面ミラー、１６  出射部、１７  筐体、Ｗ  壁面、２１  超高圧水銀ランプ、２２  インテグレータ、２３  偏光変換素子、２４  反射ミラー、２５  第１ダイクロイックミラー、２６  第２ダイクロイックミラー、２７  リレーレンズ、２８  反射ミラー、２９Ｒ  Ｒ光用空間光変調装置、２９Ｇ  Ｇ光用空間光変調装置、２９Ｂ  Ｂ光用空間光変調装置、３０  クロスダイクロイックプリズム、３０ａ  第１ダイクロイック膜、３０ｂ  第２ダイクロイック膜、ＡＸ  光軸、Ｎ  法線、３１  フレネルレンズ、３２  偏光選択透過部、３３  反射部、３４  プリズム、３５  第１面、３６  第２面、４０  スクリーン、４１  フレネルレンズ、４２  プリズム、４３  第１面、４４  第２面、５０  スクリーン、６０  スクリーン、６１  偏光選択散乱部、６２  光吸収層、７０  スクリーン、８０  スクリーン、８１  フレネルレンズ、８２  反射膜、９０  スクリーン、１００  スクリーン、１０１  フレネルレンズ、１１０  プロジェクションシステム、１１１  スクリーン
【図１】
2008203597.tif 000003
【図２】
2008203597.tif 000004
【図３】
2008203597.tif 000005
【図４】
2008203597.tif 000006
【図５】
2008203597.tif 000007
【図６】
2008203597.tif 000008
【図７】
2008203597.tif 000009
【図８】
2008203597.tif 000010
【図９】
2008203597.tif 000011
【図１０】
2008203597.tif 000012
【図１１】
2008203597.tif 000013
【図１２】
2008203597.tif 000014
【図１３】
2008203597.tif 000015
【図１４】
2008203597.tif 000016